(57)【要約】  この発明は、人材の募集または育成等に利用可能な不足能力情報を抽出する装置に関し、求められる能力に対する対象人材の不足能力を客観的に抽出することを目的とする。ツリー構造を有するマッチング辞書を記憶する。マッチング辞書中の、人材に求められる辞書ノードを希望ノード８４として登録する。希望ノード８４を前記ツリー構造に当て嵌めてテクニカルツリー８０を生成する。マッチング辞書中の、対象人材が所持する辞書ノードを所持ノード８６として登録する。所持ノード８６を前記ツリー構造に当て嵌めてスキルツリー８２を生成する。希望ノード８４の夫々に、重要度に基づく配点と、所持ノード８６との距離に基づく係数とを付与する（８８，９０，９２）。配点−（配点×係数）により希望ノード８４夫々の不足スコアを算出する。希望ノードの夫々と不足スコアの組み合わせを不足能力情報として出力する。
2020003354.tif 000002
【特許請求の範囲】
【請求項１】
物品概念の上位下位の関係、物品の全体と部品の関係、および抽象概念の上位下位の関係のうち少なくとも一種の関係で階層化された複数の辞書ノードを含むツリー構造を有し、個々の辞書ノードにマッチング要素が割り当てられているマッチング辞書を記憶するメモリ機構と、
登録する辞書ノードの入力を受け付ける入力インターフェースと、
前記マッチング辞書と登録された辞書ノードに基づいて不足能力情報を抽出する処理装置と、を備え、
前記処理装置は、
前記マッチング辞書中の、人材に求められる辞書ノードを、希望ノードとして登録する処理と、
前記希望ノードを前記ツリー構造に当て嵌めて、登録された希望ノードを網羅するテクニカルツリーを生成する処理と、
前記マッチング辞書中の、対象人材が所持する辞書ノードを、所持ノードとして登録する処理と、
前記所持ノードを前記ツリー構造に当て嵌めて、登録された所持ノードを網羅するスキルツリーを生成する処理と、
前記テクニカルツリーに含まれている希望ノード群から前記スキルツリーに含まれている所持ノード群を減じた結果に基づいて前記不足能力情報を生成する処理と、
を実行することを特徴とする不足能力抽出装置。
【請求項２】
前記入力インターフェースは、前記希望ノードの重要度の入力を受け付ける機能を有し、
前記不足能力情報を抽出する処理は、
前記希望ノードについて、前記重要度が高いほど大きな値となるように配点を算出する処理と、
前記希望ノードについて、前記所持ノードとの前記ツリー構造における距離が短いほど大きな値となるように係数を設定する処理と、
前記希望ノードについて、前記配点と、前記係数とに基づいて充足スコアを算出する処理と、
前記希望ノードについて、前記配点から前記充足スコアを減ずることにより不足スコアを算出する処理と、
前記不足スコアと当該不足スコアに対応する希望ノードとの組み合わせを含む情報を、前記不足能力情報として生成する処理と、
を含むことを特徴とする請求項１に記載の不足能力抽出装置。
【請求項３】
前記マッチング辞書は、一のマッチング要素を取り扱うために使用される他のマッチング要素と当該一のマッチング要素とを結び付ける横の関係、一のマッチング要素を取り扱うために要求される他のマッチング要素と当該一のマッチング要素とを結び付ける横の関係、および一のマッチング要素と類似する他のマッチング要素と当該一のマッチング要素とを結び付ける横の関係のうち少なくとも一種の横の関係を示す情報を更に含んでおり、
前記係数を設定する処理は、前記希望ノードと前記所持ノードとの間に前記横の関係が成立する場合に、当該希望ノードについて、前記横の関係に対応する係数を設定する処理を含むことを特徴とする請求項２に記載の不足能力抽出装置。
【請求項４】
前記入力インターフェースは、前記所持ノードの習熟度の入力を受け付ける機能を有し、
前記充足スコアを算出する処理は、前記配点と、前記係数と、当該係数に関わる所持ノードの習熟度とに基づいて、前記充足スコアを算出することを特徴とする請求項２または３に記載の不足能力抽出装置。
【請求項５】
前記希望ノード群は、特定の組織に求められる能力の総和に相当し、
前記対象人材は、前記組織に属する既存人材の夫々であり、
前記所持ノード群は、前記組織に属する全ての既存人材の所持ノードの総和に相当し、
前記不足能力情報は、前記組織に不足している能力の情報であることを特徴とする請求項１乃至４の何れか１項に記載の不足能力抽出装置。
【請求項６】
前記対象人材は、実績評価の対象とされている人材であり、
前記希望ノード群は、当該対象人材に適用すべき評価基準に含まれる個々の要素の総和に相当し、
前記所持ノード群は、当該対象人材が所持している個々の要素の総和に相当し、
前記不足能力情報は、前記評価基準に照らして当該対象人材に不足している能力の情報であることを特徴とする請求項１乃至４の何れか１項に記載の不足能力抽出装置。
【発明の詳細な説明】
【技術分野】
【０００１】
この発明は、不足能力抽出装置に係り、特に、人材の募集または育成等に利用可能な不足能力情報を抽出する装置として好適な不足能力抽出装置に関する。
【背景技術】
【０００２】
特許文献１（特開２００３−１６２６５１号公報）には、求人情報と求職情報との一致度に基づいて、求人側の要求と求職側のスキルとのマッチングスコアを計算する装置が開示されている。求人情報は、人材を求める求人側企業によって提供される。一方、求職情報は、人材群を派遣可能な求職側企業から提供される。特許文献１に記載の手法によれば、求人側企業の要求と、個々の求職者のスキルとの親和性を適切に数値化することができる。
【先行技術文献】
【特許文献】
【０００３】
【特許文献１】特開２００３−１６２６５１号公報
【発明の概要】
【発明が解決しようとする課題】
【０００４】
ところで、企業のような組織においては、業務を遂行するために必要な能力に対して、担当者の能力に不足があれば、それを補うための活動が必要となる。例えば、不足能力を補うための人材の補充、或いは、不足能力を補うための既存人材の育成が必要となる。このような活動の前提としては、不測能力を正確に抽出することが必要である。【０００５】
上述した特許文献１に記載の通り、職務に必要な能力と、特定の人材の所持能力との一致度をスコア化する装置は公知である。しかしながら、必要能力に対する不足能力を正確に抽出する装置は、従来提供されていなかった。このため、上記のような不測能力の把握は、採用や育成に携わる人間により主観的に行われるのが一般的であった。【０００６】
この発明は、上述のような課題を解決するためになされたもので、求められる能力に対する対象人材の不足能力を客観的に抽出することのできる不足能力抽出装置を提供することを目的とする。
【課題を解決するための手段】
【０００７】
第１の発明は、上記の目的を達成するため、不足能力抽出装置であって、
物品概念の上位下位の関係、物品の全体と部品の関係、および抽象概念の上位下位の関係のうち少なくとも一種の関係で階層化された複数の辞書ノードを含むツリー構造を有し、個々の辞書ノードにマッチング要素が割り当てられているマッチング辞書を記憶するメモリ機構と、
登録する辞書ノードの入力を受け付ける入力インターフェースと、
前記マッチング辞書と登録された辞書ノードに基づいて不足能力情報を抽出する処理装置と、を備え、
前記処理装置は、
前記マッチング辞書中の、人材に求められる辞書ノードを、希望ノードとして登録する処理と、
前記希望ノードを前記ツリー構造に当て嵌めて、登録された希望ノードを網羅するテクニカルツリーを生成する処理と、
前記マッチング辞書中の、対象人材が所持する辞書ノードを、所持ノードとして登録する処理と、
前記所持ノードを前記ツリー構造に当て嵌めて、登録された所持ノードを網羅するスキルツリーを生成する処理と、
前記テクニカルツリーに含まれている希望ノード群から前記スキルツリーに含まれている所持ノード群を減じた結果に基づいて前記不足能力情報を生成する処理と、
を実行することを特徴とする。【０００８】
また、第２の発明は、第１の発明において、
前記入力インターフェースは、前記希望ノードの重要度の入力を受け付ける機能を有し、
前記不足能力情報を抽出する処理は、
前記希望ノードについて、前記重要度が高いほど大きな値となるように配点を算出する処理と、
前記希望ノードについて、前記所持ノードとの前記ツリー構造における距離が短いほど大きな値となるように係数を設定する処理と、
前記希望ノードについて、前記配点と、前記係数とに基づいて充足スコアを算出する処理と、
前記希望ノードについて、前記配点から前記充足スコアを減ずることにより不足スコアを算出する処理と、
前記不足スコアと当該不足スコアに対応する希望ノードとの組み合わせを含む情報を、前記不足能力情報として生成する処理と、
を含むことを特徴とする。【０００９】
また、第３の発明は、第２の発明において、
前記マッチング辞書は、一のマッチング要素を取り扱うために使用される他のマッチング要素と当該一のマッチング要素とを結び付ける横の関係、一のマッチング要素を取り扱うために要求される他のマッチング要素と当該一のマッチング要素とを結び付ける横の関係、および一のマッチング要素と類似する他のマッチング要素と当該一のマッチング要素とを結び付ける横の関係のうち少なくとも一種の横の関係を示す情報を更に含んでおり、
前記係数を設定する処理は、前記希望ノードと前記所持ノードとの間に前記横の関係が成立する場合に、当該希望ノードについて、前記横の関係に対応する係数を設定する処理を含むことを特徴とする。【００１０】
また、第４の発明は、第２または第３の発明において、
前記入力インターフェースは、前記所持ノードの習熟度の入力を受け付ける機能を有し、
前記充足スコアを算出する処理は、前記配点と、前記係数と、当該係数に関わる所持ノードの習熟度とに基づいて、前記充足スコアを算出することを特徴とする。【００１１】
また、第５の発明は、第１乃至第４の発明の何れかにおいて、
前記希望ノード群は、特定の組織に求められる能力の総和に相当し、
前記対象人材は、前記組織に属する既存人材の夫々であり、
前記所持ノード群は、前記組織に属する全ての既存人材の所持ノードの総和に相当し、
前記不足能力情報は、前記組織に不足している能力の情報であることを特徴とする。【００１２】
また、第６の発明は、第１乃至第４の発明の何れかにおいて、
前記対象人材は、実績評価の対象とされている人材であり、
前記希望ノード群は、当該対象人材に適用すべき評価基準に含まれる個々の要素の総和に相当し、
前記所持ノード群は、当該対象人材が所持している個々の要素の総和に相当し、
前記不足能力情報は、前記評価基準に照らして当該対象人材に不足している能力の情報であることを特徴とする。
【発明の効果】
【００１３】
第１の発明によれば、全ての希望ノードをマッチング辞書中で登録することにより、人材に求める要素を網羅するテクニカルツリーを生成することができる。また、全ての所持ノードをマッチング辞書中で登録することにより、対象人材が所持する項目を網羅するスキルツリーを生成することができる。テクニカルツリーとスキルツリーは、全く同じツリー構造を有するため、容易に対比させることができる。そして、テクニカルツリーに含まれる希望ノード群から、スキルツリーに含まれる所持ノード群を減ずることで、求められる能力に対する対象人材の不足能力を客観的に抽出することができる。【００１４】
第２の発明によれば、ツリー構造上での距離が短い所持ノードを持つ希望ノードには、大きな係数が与えられる。希望ノードと所持ノードの距離は、両者の関係の強さに相当する。従って、本発明では、関係の強い所持ノードが存在する希望ノードに大きな係数が与えられる。本発明では、係数が１．０に近づくほど、充足スコアは「配点」に近づき、その結果、不足スコアはゼロに近づく。反対に、係数が０．０に近づくほど不足スコアは「配点」に近づく。このように、本発明では、関係の強い所持ノードを持つ希望ノードについては不足スコアが小さな値となり、他方、関係の強い所持ノードを持たない希望ノードについては不足スコアが大きな値となる。つまり、本発明では、対象人材の能力が不足している希望ノードには大きな不足スコアが算出される。一方、合致する能力が認められる希望ノードの不足スコアは小さな値となる。このため、本発明によれば、必要とされる能力と対象人材の能力とのギャップを適正に表す不足能力情報を抽出することができる。更に、本発明では、重要度の高い希望ノードに高い配点が与えられる。その結果、不足スコアは、重要度の高い希望ノードで大きな値となる。従って、本発明によれば、個々の希望ノードの重要性をも正しく表した不足能力情報を得ることができる。【００１５】
第３の発明によれば、「使用」で結び付く横の関係、「要求」で結び付く横の関係、および「類似」で結び付く横の関係の少なくとも一つの情報がマッチング辞書に与えられる。これらの横の関係で結び付くマッチング要素は、一方が他方を補うものとして理解することができる。このため、希望ノードに合致する所持ノードが存在しなくても、横の関係を示す所持ノードが存在していれば、その希望ノードについてもある程度の充足スコアを与えることが望ましい。本発明によれば、横の関係に対応する係数が設定されるため、上記の要求を満たすことができる。【００１６】
第４の発明によれば、所持ノードの夫々についての習熟度が充足スコアに反映される。具体的には、希望ノードに関連する所持ノードの習熟度が高いほど、充足スコアは高い値となる。また、その習熟度が低いほど充足スコアは小さな値となる。つまり、希望ノードに対応する所持ノードについて高い習熟度が得られていれば、不足スコアは低くなり、その習熟度が低ければ不足スコアは高くなる。このように、本発明によれば、個々の所持ノードの習熟度を反映させることにより、実情を正しく表す不足能力情報を生成することができる。【００１７】
第５の発明によれば、特定の組織に求められる能力の総和から、その組織の既存人材の能力の総和を減じた結果が、不足能力情報とされる。この場合、得られた不足能力情報は、組織に不足している能力を正しく表すものとなる。このため、本発明で得られる不足能力情報は、人材補充の場面では募集要項として利用することができ、また、人材育成の場面では育成プログラムの基礎として利用することができる。【００１８】
第６の発明によれば、実績評価に用いる評価基準から、実績評価の対象人材の能力を減じた結果が、不足能力情報とされる。このような不足能力情報は、その対象人材に足りない能力を正しく表すものとなる。このため、本発明で得られる不足能力情報は、対象人材の育成プログラムとして利用することができる。
【図面の簡単な説明】
【００１９】
【図１】本発明の実施の形態１の不足能力抽出装置を含むネットワークの概要を説明するための図である。
【図２】図１に示す管理サーバのハードウェア構成を説明するための図である。
【図３】スキルの関連性に従ってツリー構造とされたマッチング要素の集合を含むマッチング辞書の例を示す図である。
【図４】本実施形態で用いられるマッチング辞書に含まれるuseの関係とrequireの関係を説明するための図である。
【図５】本実施形態で用いられるマッチング辞書に含まれるsimilarの関係を説明するための図である。
【図６】希望ノードの登録手順を説明するためのフローチャートである。
【図７】希望ノードを登録する処理を説明するための図（その１）である。
【図８】希望ノードを登録する処理を説明するための図（その２）である。
【図９】希望ノードを登録する処理を説明するための図（その３）である。
【図１０】希望ノードがマッチング辞書に存在していなかった状況を説明するための図である。
【図１１】希望ノードの重要度を登録する処理を説明するための図である。
【図１２】希望ノードを含むテクニカルツリーと所持ノードを含むスキルツリーとの照合結果から不足スコアが算出される様子を示す図である。
【図１３】本発明の実施の形態１において、不足能力情報を出力するために管理サーバが実行する処理を説明するためのフローチャートである。
【図１４】本発明の実施の形態２において、不足能力情報を出力するために管理サーバが実行する処理を説明するためのフローチャートである。
【発明を実施するための形態】
【００２０】
実施の形態１．
［実施の形態１の構成］
図１は、本発明の実施の形態１の不足能力抽出装置を含むネットワークの概要を説明するための図である。本実施形態の不足能力抽出装置は管理サーバ１０を備えている。
【００２１】
図２は、管理サーバ１０のハードウェア構成を示す。管理サーバ１０は、一般的なコンピュータシステムで構成されており、中央プロセッサ（ＣＰＵ）１８を備えている。ＣＰＵ１８には、通信バス２０を介してＲＯＭ２２、ＲＡＭ２４、ストレージ２６等のメモリ機構が接続されている。通信バス２０には、更に、通信インターフェース２８、並びに、ユーザインターフェースとなる操作部３０及び表示部３２が接続されている。管理サーバ１０は、ＲＯＭ２２に格納されているプログラムをＣＰＵ１８が実行することにより、不足能力抽出装置としての機能を実現する。
【００２２】
管理サーバ１０はネットワーク１２を介して、複数の操作端末１４と繋がっている。本実施形態の装置は、特定の組織が特定のプロジェクトを行うに当たって、その組織に不足している能力を正確に抽出することを主たる目的として設計されている。操作端末１４は、本装置の操作に習熟した操作担当者が、プロジェクトの実行に必要な能力、およびその組織に属する既存の人材夫々の能力に関する情報を登録する際に用いられる。操作端末１４は、管理サーバ１０と同様に一般的なコンピュータシステムで構成されている。
【００２３】
図３は、管理サーバ１０が記憶するマッチング辞書３６の一例を示す。マッチング辞書３６には、ツリー構造に階層化された複数の辞書ノード３８が含まれている。辞書ノード３８には、何れもスキルの内容や分野を表すマッチング要素が割り当てられている。上下の関係線で結ばれた辞書ノードは、物品概念における上位と下位の関係、物品の全体と部分の関係、或いは抽象概念における上位と下位の関係を有している。
【００２４】
例えば、「製品・部品」の辞書ノード３８には、「自動車関連」を含む幾つかの製品または部品の辞書ノード３８が結び付けられている。これらは物品概念の上位と下位の関係を有している。また、「自動車関連」の辞書ノード３８には「内装部品」を含む幾つかの辞書ノード３８が結び付けられている。これらは物品の全体と部品の関係を有している。更に、「職種」の辞書ノード３８には、「生産」を含む幾つかの辞書ノード３８が結び付けられている。これらは、抽象概念における上位と下位の関係を有している。
【００２５】
マッチング辞書３６に含まれる辞書ノード３８は、ツリー構造の中での距離が短いほど関連が強いと判断することができる。例えば、共に「自動車」の下位に位置する「エンジン構造部品」と「アクスル／ブレーキ／車両ダイナミック制御」は、自動車に関する知識において共通しているため、密な関連を有する。
【００２６】
一方、辞書ノード３８の中には、ツリー構造の中では離れて位置していても互いに密接に関連しているものが存在する。マッチング辞書３６には、それらの関連を表す３種類の横の関係線が含まれている。
【００２７】
図４は、３種類の横の関係線のうち、useの関係線４０とrequireの関係線４２を示している。図４に示す辞書ノード３８のうち、例えば「自動二輪車」の「駆動機構」における「クラッチ」の取り扱いには「ＣＡＤ」の使用が必要である。このように一の要素が他の要素を使用する関係が成立する場合は、一の要素から他の要素に向けてuseの関係線４０が引かれる。また、「自動二輪」の「駆動機構」の取り扱いには「摩擦」の学問知識が必要とされる。このように、一の要素が他の要素を必要とする関係が成立する場合には、一の要素から他の要素に向けてrequireの関係線４２が引かれる。
【００２８】
図５は、３つ目の横の関係線、即ちsimilarの関係線４４を示している。図５において「産業用機器」の下位に位置する「ノギス」と、「自動車関連」の下位に位置する「ノギス」とは、スキルの観点からすれば実質的に同じ意味を有する。このように、一の要素と他の要素が実質的に同じ意味を有する場合には、それらの要素間にsimilarの関係線４４が引かれる。
【００２９】
以上説明した通り、本実施形態のマッチング辞書３６には、ツリー構造に対応する縦の関係線に加えて、３種類の横の関係線４０，４２，４４が含まれている。ツリー構造において近くに配置される辞書ノード３８同士と同様に、それら横の関係線４０，４２，４４の何れかで結ばれた辞書ノード同士も、互いに関連が強いと判断することができる。
【００３０】
本実施形態において、マッチング辞書３６に含まれる個々の辞書ノード３８は、管理者により管理サーバ１０を用いて入力される。管理者はこの際、ツリー構造を構成する縦の関係を特定し、また、必要であれば横の関係を特定して追加する辞書ノード３８を入力する。
【００３１】
［実施の形態１の基本動作］
次に、本実施形態の不足能力抽出装置の動作を説明する。
図６は、操作端末１４を用いて、操作担当者が、あるプロジェクトの実行に必要な能力条件を登録する際の流れを説明するためのフローチャートである。本実施形態で用いられるマッチング辞書は、「製品・部品」「技術・ツール」「職種」「学問」の４つのカテゴリ別のツリー構造を有している。能力条件を登録する際には、先ず、それら４つのカテゴリの何れを登録するかが選択される。
【００３２】
以下、船舶の部品を製造する企業から、「小型船外機用アクチュエータの設計」に関するプロジェクトについて、既存組織の不足能力の抽出を依頼された場合を例として説明を進める。また、ここでは、４つのカテゴリの中「職種」に関する辞書ノードを始めに登録することとする（ステップ１００）。
【００３３】
本実施形態では、辞書ノードを登録する手法として、ワード検索とノード選択の２つの手法が準備されている（ステップ１０２）。ワード検索は、特定のワードを入力して該当する辞書ノードを呼び出す手法である。他方、ノード選択は、ツリー構造に沿ってマッチング辞書を確認し、プロジェクトの進行に必要な辞書ノードを選択して登録する手法である。
【００３４】
図７は、ノード選択の手法で辞書ノードを登録する際に操作端末１４のモニタに表示される画面の一例を示す。ここでは、操作担当者によって、プロジェクトの内容、即ち業務内容として「小型船外機用アクチュエータの設計」が入力されている（４６）。また、カテゴリとして「職種」が選択され（４８）、「ノード選択」のタブが選択されている（５０）。更に、「職種」の下位には「企画・研究」から「生産管理」まで幾つかの職種が列記されており、その中から「設計・開発」の辞書ノードが選択されている（５２）。
【００３５】
「設計・開発」が選択されると、その下位に位置する幾つかの辞書ノードが表示される。ここでは、それらの辞書ノードを、符号（５４）を付した破線の枠内に示している。操作担当者は、それらの辞書ノードを依頼者に見せて、プロジェクトに必要な能力に最も近いものの選択を促す。図７は、最も近いものとして「造船設計」が選ばれ、そのノードが登録された状態を示している（５６）。
【００３６】
図６に示すフローチャートは、上記の処理をステップ１０４およびステップ１０６で表している。具体的には、「設計・開発」の分野でプロジェクトに必要な辞書ノードを探す処理が（ステップ１０４）に相当し、また、その結果として「造船設計」の辞書ノードを登録する処理が（ステップ１０６）に相当している。
【００３７】
図６に示すフローチャートでは、ステップ１０６に続いて、周辺ツリーの確認（ステップ１０８）、縦横関係線の有無判断（ステップ１１０）、登録すべき用語の判断（ステップ１１２）が示されている。これらの処理は、後述するワード検索によるノード登録の場合と実質的に同様であるため、ここではその説明を省略する。
【００３８】
図８は、ワード検索の手法で辞書ノードを登録する際に操作端末１４のモニタに表示される画面の一例を示す。ここでは、「小型船外機用アクチュエータの設計」に必要なスキルとして、「アクチュエータ」の製品知識が要求された場合について説明する。
【００３９】
図８の上段では、辞書ノード検索の手法を「ワード検索」とするべく、そのタブが選ばれている（５８）。そして、検索すべきワードとして「アクチュエータ」が入力されている（６０）。
【００４０】
図８の下段は、「アクチュエータ」についての検索結果（６２）が示されている。ここには、具体的には、「製品・部品」＜「自動車関連」＜「自動車」＜「エンジン吸排気系部品」＜「過給機」＜「ターボチャージャー」＜「アクチュエータ」から、「製品・部品」＜「産業用機械」＜「その他産業用機械」＜「機械コンポーネント」＜「空圧機器」＜「アクチュエータ」まで、７つの結果が示されている。
【００４１】
上記の結果から、「アクチュエータ」の辞書ノードが、船舶の分野には準備されていないが、他の分野には準備されていることが判る。この場合、操作担当者は、得られた結果の中で今回のプロジェクトに利用できるものがあるかを依頼者に問い合わせる。その結果、例えば、「自動車」分野の「アクチュエータ」（６４）なら、共通する知識が多く利用が可能である、といった回答が得られた場合は、これに対応する辞書ノードが登録される。
【００４２】
図６に示すフローチャートは、上記の処理をステップ１０４、ステップ１１４およびステップ１１６で表している。具体的には、キーワード検索の結果（６２）の中に「船舶」分野の「アクチュエータ」に対応する辞書ノードが存在するか否かを判断する処理が（ステップ１０４）に相当する。また、その判断が否定された場合に、他分野に利用可能な辞書ノードが存在するか否かを判断する処理が（ステップ１１４）に相当する。そして、「自動車」分野の「アクチュエータ」を登録する処理が（ステップ１１６）に相当する。
【００４３】
図６に示すフローチャートでは、ステップ１１６の下方にも、上述したステップ１０６の場合と同様に、周辺ツリーの確認（ステップ１０８）、縦横関係線の有無判断（ステップ１１０）、および登録すべき用語の判断（ステップ１１２）が示されている。
【００４４】
図９は、それらステップ１０８〜１１２の処理に伴って操作端末１４のモニタに表示される画面の一例を示す。より具体的には、図９の上段は、上記「アクチュエータ」の登録後に、操作担当者が画面に表示した周辺ツリーを示す。操作担当者は、この画面を依頼者に見せて、「センサ／アクチュエータ」の下位に「アクチュエータ」と共に並んでいる辞書ノード（６６）の中に、役に立つノードが存在するか否かを確認する。
【００４５】
辞書ノード（６６）の中に役に立つ辞書ノードが見つかれば、そのノードが登録される。また、それらの中に役に立つノードがなければ、操作担当者は、更に広い範囲で周辺の辞書ノードを表示してもよい。図９の中段は、更に上位に遡って、「自動車」の下位に並ぶ辞書ノード（６８）を画面に表示した例を示す。
【００４６】
操作担当者は、辞書ノード（６８）について、依頼者に有用性を確認する。その結果、例えば「ステアリング」（７０）について有用性が認められた場合は、その下位の辞書ノード（７２）を更に展開して、必要なスキルの有無を確認してもよい。図９の下段は、「ステアリング」（７０）の下位に広がる辞書ノード（７２）の表示例を示す。そして、例えば、「電動パワーステアリング」（７４）の知識が必要であることが判れば、その辞書ノード（７４）が登録される。
【００４７】
尚、上記の例では、縦の関係線のみを辿って周辺ツリーを展開することとしているが、その展開の手法はこれに限定されるものではない。例えば、登録した辞書ノードに横の関係線が繋がっている場合は、その横の関係線を辿って周辺ツリーを展開することとしてもよい。
【００４８】
上記の処理中、図９の上段、中段、または下段の画面を表示する行為、およびその画面中で縦横の関係線で繋がれた辞書ノード（６６）、（６８）、（７２）を見つける行為は、図６に示すフローチャートにおける（ステップ１０８）および（ステップ１１０）の処理に相当する。また、それらの辞書ノード（６６）、（６８）、（７２）の中から登録すべき用語を見つけ出す行為が（ステップ１１２）の処理に相当する。
【００４９】
依頼者からは、マッチング辞書中に登録されていない事項が要求される場合がある。図１０は、「小型船外機用アクチュエータの設計」に関わる本件において、マッチング辞書に含まれていない「コントロールレバー」が要求された場合に、操作端末１４のモニタに表示される画面の例を示す。
【００５０】
図１０には、具体的には、検索ワードとして「コントロールレバー」が入力され、検索結果として「該当データが存在しません」のコメントが示された様子が表示されている（７６）。この場合、操作担当者は、図示しないチャット機能を用いて、管理サーバ１０に「コントロールレバー」に対応する辞書ノードの追加を要請する。
【００５１】
上記の処理中、「コントロールレバー」を検索してその結果を確かめる行為は、図６に示すフローチャート中、（ステップ１０２）、（ステップ１０４）および（ステップ１１４）の処理に相当する。また、「コントロールレバー」の追加を管理サーバ１０に要請する行為が（ステップ１１８）に相当する。図６に示すように、以上説明した処理は、プロジェクトに必要な能力の全てに対応する辞書ノードの登録が終わるまで繰り返し実行される（ステップ１２０）。以下、このようにして登録された辞書ノードを「希望ノード」と称する。
【００５２】
本実施形態において、希望ノードを登録する際には、そのノードの重要度を選択することができる。図１１は、操作端末１４のモニタに「重要度選択」の表示（７８）がポップアップされた状態を示す。ここには、重要度が５段階で選択できる例を示している。個々の重要度は、例えば下記のように定義することができる。
★５：不可欠
★４：重要
★３：必要
★２：あれば助かる
★１：あれば助かるかも
【００５３】
操作端末１４からは、上述した手順と実質的に同じ手順で、プロジェクトの実行組織に属する既存人材の情報を登録することができる。より具体的には、操作端末１４からは、既存人材の所持能力に対応する辞書ノードを、人材毎に登録することができる。この登録は、例えば、操作担当者が依頼者にヒアリングを行い、その結果に基づいて行うことができる。また、この登録は、操作担当者が、依頼者から受け取った既存人材の履歴書、経歴書等に基づいて上記の登録を行ってもよい。以下、このようにして登録される辞書ノードを「所持ノード」と称す。本実施形態では、所持ノードを登録する際に、希望ノードについての「重要度」と同様に所持ノードについての「習熟度」を付加情報として登録してもよい。
【００５４】
図１２は、テクニカルツリー８０とスキルツリー８２とを照らし合わせて不足スコアを算出する手法を説明するための図である。テクニカルツリー８０は、必要な能力条件に基づいて登録された希望ノード８４をマッチング辞書のツリー構造に当て嵌めることで構成されている。他方、スキルツリー８２は、既存人材の所持能力に基づいて登録された所持ノード８６をマッチング辞書のツリー構造に当て嵌めることで構成されている。
【００５５】
図１２に示す例では、テクニカルツリー８０に３つの希望ノード８４が登録されている。これらの希望ノード８４は、何れも、それらの重要度と共に登録されている。個々の希望ノード８４には、その重要度に応じて配点が割り振られる。図１２の中段に示すテクニカルツリー８０は、満点が１００点であり、重要度２、５、３の希望ノード８４に夫々２０点、５０点、３０点の配点が付与された例を示している。
【００５６】
尚、個々の希望ノード８４の配点には、それらのノードのテクニカルツリー８０内での階層の位置を反映させることとしてもよい。具体的には、例えば、より上位に位置する希望ノード８４に高い配点を付与するように階層に応じた重み付けを施すこととしてもよい。或いは、より下位に位置する希望ノード８４の配点が大きくなるように、その重み付けを設定してもよい。
【００５７】
不足スコアを算出する過程では、次に、テクニカルツリー８０に含まれる希望ノード８４の夫々と、スキルツリー８２に含まれる所持ノード８６の夫々との距離が測定される。更に、その測定の結果に基づいて、希望ノード８４の夫々に与えられた配点に対する係数が決定される。
【００５８】
図１２の中段に示すスキルツリー８２は、上記の処理により設定された配点に対する係数の例を示している。ここでは、先ず、希望ノード８４の夫々につき、ツリー構造における完全一致の箇所に所持ノード８６が存在するかが判断される。完全一致の所持ノード８６が存在する場合は、その希望ノード８４の配点に対して１．０の係数が与えられる（符号８８参照）。
【００５９】
次に、希望ノード８４の対応箇所と、階層の仲介無しに縦の関係線で繋がる位置に、所持ノード８６が存在するか否かが判別される。つまり、従属元の上位ノードが一致している兄弟関係の所持ノード８６が存在するか否かが判別される。この種の所持ノード８６が存在する場合は、その希望ノード８４の配点に対して０．６の係数が与えられる（符号９０参照）。
【００６０】
更に、希望ノード８４の対応箇所と、階層を介して縦の関係線で繋がる位置、或いはその対応箇所と横の関係線（図４、図５参照）で繋がる位置に、所持ノード８６が存在するか否かが判別される。この種の所持ノード８６が存在する場合には、その希望ノード８４の配点に対して０．２の係数が与えられる（図示なし）。
【００６１】
そして、上記の関係を満たす所持ノード８６が存在しない希望ノード８４の配点には、０．０の係数が付与される（符号９２参照）。
【００６２】
以上の処理が終わると、次に、以下の演算式に従って、希望ノードの夫々についての不足スコアが算出される。
不足スコア＝（配点）−（充足スコア）
但し、
充足スコア＝（配点×係数）
【００６３】
上記の式中に示す「充足スコア」は、個々の希望ノードが所持ノードによってどの程度充足されているかを表す数値である。上記の通り、重要度が反映された「配点」に、所持ノードとの関係の強さが反映された「係数」を掛け合わせれば、実情に沿った「充足スコア」を得ることができる。そして、その「充足スコア」を「配点」から減じれば、希望ノードの夫々が、どの程度不足しているのかを的確に表す数値を「不足スコア」として算出することができる。
【００６４】
図１２の下段は、充足スコアと不足スコアの計算例を示している。例えば、「２０点」の配点が与えられている希望ノードについては、係数が「０．０」であるため、充足スコアは（２０×０．０）となり、不足スコアは２０−（２０×０．０）＝２０となる。「５０点」の配点が与えられている希望ノードについては、係数が「１．０」であるため、充足スコアが５０、不足スコアが０となる。また、「３０点」の配点が与えられている希望ノードについては、係数が「０．６」であるため、充足スコアが１８、不足スコアが１２となる。
【００６５】
上記の手法によれば、関係の強い所持ノードを持つ希望ノードの不足スコアは小さな値となる。関係が強い所持ノードが存在すれば、その希望ノードについての要求は大きく満たされていると判断できる。上記の不足スコアは、その状況を適切に表している。
【００６６】
また、上記の手法によれば、所持ノードとの関係の強さが同じであれば、配点が高いほど、希望ノードの不足スコアは大きな値となる。つまり、重要度の高い希望ノードには、重要度の低い希望ノードより、不足スコアが大きな値に算出され易い。このように、本実施形態の手法によれば、希望ノードの重要度をも、適切に不足スコアに反映させることができる。
【００６７】
尚、上記の例では、完全一致、仲介なし、仲介あり又は横の関係線、の３つに対して距離に応じた係数を与えることとしているが、係数付与の手法はこれに限定されるものではない。希望ノードと所持ノードとの距離を、より細かく分類して、より多種類の係数を導入することとしてもよい。
【００６８】
また、上記の例では、所持ノード８６の習熟度を不足スコアに反映させていないが、習熟度に応じた係数を導入して、習熟度を不足スコアに反映させることとしてもよい。この場合、習熟度が高い所持ノードほど１．０に近い係数を設定し、また、習熟度が低い所持ノードほど０．０に近い係数を設定する。そして、それらの係数を、個々の所持ノードに関わる配点に掛け合わせることで、習熟度を充足スコア、並びに不足スコアに反映させることができる。
【００６９】
上記の手法では、組織の能力条件と既存人材の所持能力の情報が、互いに同じツリー構造を有するテクニカルツリーとスキルツリーにまとめられる。このため、この手法によれば、複雑な自然言語処理等を必要とすることなく、簡単な照らし合わせによって希望ノードと所持ノードが一致しているか否かを判断することができる。更に、上記の手法によれば、希望ノードと所持ノードの完全一致のみならず、両者の関連性をも不足スコアに反映させることができる。このため、この手法によれば、能力条件に対する所持能力の不足スコアを容易な処理により得ることができる。
【００７０】
［実施の形態１に固有の動作］
次に、図１３を参照して、本実施形態において管理サーバ１０が実行する動作について説明する。本実施形態では、特定の組織の人材補充を希望する企業から、募集要項を作成する前提として、現状での不足能力情報の抽出が依頼された場合について説明する。
【００７１】
図１３は、本実施形態において管理サーバ１０が実行する処理の流れを説明するためのフローチャートである。ここでは、図１３に示すルーチンの実行に先立って、図６乃至図１１を参照して説明した手法により、能力条件に対応する希望ノードの登録と、既存人材の所持ノードの登録とが終了しているものとする。
【００７２】
図１３に示すルーチンは、管理サーバ１０に対して不足能力情報の抽出が要求されることにより起動される。このルーチンが起動されると、初期化処理に続いて、先ず、組織の能力条件が読み込まれる（ステップ１３０）。より具体的には、その能力条件に基づいて登録された全ての希望ノードが読み込まれ、それらを含むテクニカルツリーが生成される。
【００７３】
次に、既存人材の所持能力が読み込まれる（ステップ１３２）。具体的には、組織に属する既存人材について登録されている所持ノードが読み込まれる。全ての既存人材について所持ノードの読み込みが終了したら、それらの全てを含むスキルツリーが生成される。
【００７４】
次に、図１２を参照して説明した手法でツリーマッチングが実施される（ステップ１３４）。具体的には、本ステップでは以下の処理が実行される。
１．全ての希望ノードに付与される配点の合計が満点（例えば１００点）となるように、個々の希望ノードの配点が、夫々の重要度に基づいて算出される。
２．テクニカルツリーとスキルツリーが照らし合わされ、希望ノードと所持ノードの距離に基づいて個々の希望ノードに付与された配点に対する係数が算出される。
【００７５】
次に、テクニカルツリーに含まれている全ての希望ノードについて、充足スコアが算出される（ステップ１３６）。具体的には、希望ノード毎に、（配点×係数）の演算が行われ、その結果が充足スコアとして記憶される。
【００７６】
全ての希望ノードについて充足スコアが算出されたら、次に、希望ノードの夫々について不足スコアが算出される（ステップ１３８）。具体的には、希望ノード毎に、（配点―充足スコア）の演算が行われ、その結果が不足スコアとして記憶される。
【００７７】
最後に、テクニカルツリーに含まれる希望ノードと、個々の希望ノードについて算出された不足スコアとを含む情報が、不足能力情報として出力される（ステップ１４０）。
【００７８】
以上の処理によれば、組織に必要な能力と、既存人材の所持能力との差分を、客観的な不足能力として抽出することができる。このため、その不足能力に基づいて補充人材の募集要項を作成すれば、不足能力を補うことのできる人材を、効率的に募集することができる。このため、本実施形態の不足能力抽出装置は、人材の補充に関わる作業負荷を著しく軽減するという効果を達成することができる。
【００７９】
ところで、上述した実施の形態１では、抽出された不足能力情報を、募集要項の基礎とすることとしているが、不足能力情報の利用方法はこれに限定されるものではない。例えば、不足能力情報は、既存人材の育成プログラムの基礎として利用することとしてもよい。この場合は、既存人材を教育することにより、不足能力を効率的に補充することができる。
【００８０】
尚、上述した実施の形態１においては、辞書ノードに割り当てられる要素が前記第１の発明における「マッチング要素」に相当している。また、組織に属する既存人材が前記第１の発明における「対象人材」に相当している。
【００８１】
［実施の形態２］
次に、図１４を参照して本発明の実施の形態２について説明する。本実施形態の不足能力抽出装置は、実施の形態１の場合と同様に図１に示すハードウェア構成により実現することができる。本実施形態では、人材の育成を前提として、その人材の不足能力情報を抽出する場合について説明する。
【００８２】
上述した実施の形態１では、特定の組織に必要な能力の条件に基づいて希望ノードが登録され、また、その組織の既存人材の所持能力に基づいて所持ノードが登録される。本実施形態では、人事評価の対象である人材の所持能力に基づいて所持ノードが登録され、また、その人材に当て嵌めるべき評価項目に基づいて希望ノードが登録される。
【００８３】
図１４は、本実施形態において管理サーバ１０が実行する処理の流れを説明するためのフローチャートである。実施の形態１の場合と同様に、評価項目に基づく希望ノードの登録と、対象人材の所持ノードの登録は、図１４に示すルーチンの実行に先立って終了しているものとする。
【００８４】
図１４に示すルーチンが起動されると、初期化処理に続いて先ず、評価基準が読み込まれる（ステップ１５０）。具体的には、評価基準に含まれる個々の項目に対応して登録された全ての希望ノードが読み込まれ、それらを含むテクニカルツリーが生成される。
【００８５】
次に、対象人材の所持能力が読み込まれる（ステップ１５２）。具体的には、対象人材の経験および実績等に基づいて登録された全ての所持ノードが読み込まれ、それらを含むスキルツリーが生成される。
【００８６】
以下、本ルーチンで生成されたテクニカルツリーおよびスキルツリーに基づいて、ツリーマッチング実施（ステップ１５４）から、不足能力情報出力（ステップ１６０）までが順次実行される。その結果、対象人材に不足している能力を、希望ノードと不足スコアとの組み合わせによって示した不足能力情報が出力される。
【００８７】
このような不足能力情報を利用して対象人材の育成プログラムを作成すれば、対象人材に足りていない能力を効率的に育てることができる。このため、本実施形態によれば、対象人材を効率的に育成することができると共に、その育成のための作業負荷を大きく低減させることができる。
【００８８】
ところで、上述した実施の形態１および２では、管理サーバ１０と操作端末１４とをネットワーク１２を介して繋げることとしているが、本発明の構成はこれに限定されるものではない。例えば、操作端末１４の機能を管理サーバ１０に持たせて、管理サーバ１０だけで不足能力抽出装置を実現することとしてもよい。
【００８９】
また、上述した実施形態および２では、個々の辞書ノードに割り振るマッチング項目を、スキル、経験、学歴など、主として能力に関する項目としているが、マッチング項目の内容はこれに限定されるものではない。例えば、業務に対する姿勢、日常の行動パターン、業務の成果などに関わる項目をマッチング項目に含めることとしてもよい。
【符号の説明】
【００９０】
１０  管理サーバ
１４  操作端末
３６  マッチング辞書
３８  辞書ノード
４０，４２，４４  横の関係線
８０  テクニカルツリー
８２  スキルツリー
８４  希望ノード
８６  所持ノード
【図１】
2020003354.tif 000003
【図２】
2020003354.tif 000004
【図３】
2020003354.tif 000005
【図４】
2020003354.tif 000006
【図５】
2020003354.tif 000007
【図６】
2020003354.tif 000008
【図７】
2020003354.tif 000009
【図８】
2020003354.tif 000010
【図９】
2020003354.tif 000011
【図１０】
2020003354.tif 000012
【図１１】
2020003354.tif 000013
【図１２】
2020003354.tif 000014
【図１３】
2020003354.tif 000015
【図１４】
2020003354.tif 000016
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
物品概念の上位下位の関係、物品の全体と部品の関係、および抽象概念の上位下位の関係のうち少なくとも一種の関係で階層化された複数の辞書ノードを含むツリー構造を有し、個々の辞書ノードにマッチング要素が割り当てられているマッチング辞書を記憶するメモリ機構と、
登録する辞書ノードの入力を受け付ける入力インターフェースと、
前記マッチング辞書と登録された辞書ノードに基づいて不足能力情報を抽出する処理装置と、を備え、
前記処理装置は、
前記マッチング辞書中の、人材に求められる辞書ノードを、希望ノードとして登録する処理と、
前記希望ノードを前記ツリー構造に当て嵌めて、登録された希望ノードを網羅するテクニカルツリーを生成する処理と、
前記マッチング辞書中の、対象人材が所持する辞書ノードを、所持ノードとして登録する処理と、
前記所持ノードを前記ツリー構造に当て嵌めて、登録された所持ノードを網羅するスキルツリーを生成する処理と、
前記テクニカルツリーに含まれている希望ノード群から前記スキルツリーに含まれている所持ノード群を減じた結果に基づいて前記不足能力情報を生成する処理と、を実行し、
前記入力インターフェースは、前記希望ノードの重要度の入力を受け付ける機能を有し、
前記不足能力情報を抽出する処理は、
前記希望ノードについて、前記重要度が高いほど大きな値となるように配点を算出する処理と、
前記希望ノードについて、前記所持ノードとの前記ツリー構造における距離が短いほど大きな値となるように係数を設定する処理と、
前記希望ノードについて、前記配点と、前記係数とに基づいて充足スコアを算出する処理と、
前記希望ノードについて、前記配点から前記充足スコアを減ずることにより不足スコアを算出する処理と、
前記不足スコアと当該不足スコアに対応する希望ノードとの組み合わせを含む情報を、前記不足能力情報として生成する処理と、
を含むことを特徴とする不足能力抽出装置。
【請求項２】
（削除）
【請求項３】
前記マッチング辞書は、一のマッチング要素を取り扱うために使用される他のマッチング要素と当該一のマッチング要素とを結び付ける横の関係、一のマッチング要素を取り扱うために要求される他のマッチング要素と当該一のマッチング要素とを結び付ける横の関係、および一のマッチング要素と類似する他のマッチング要素と当該一のマッチング要素とを結び付ける横の関係のうち少なくとも一種の横の関係を示す情報を更に含んでおり、
前記係数を設定する処理は、前記希望ノードと前記所持ノードとの間に前記横の関係が成立する場合に、当該希望ノードについて、前記横の関係に対応する係数を設定する処理を含むことを特徴とする請求項１に記載の不足能力抽出装置。
【請求項４】
前記入力インターフェースは、前記所持ノードの習熟度の入力を受け付ける機能を有し、
前記充足スコアを算出する処理は、前記配点と、前記係数と、当該係数に関わる所持ノードの習熟度とに基づいて、前記充足スコアを算出することを特徴とする請求項１または３に記載の不足能力抽出装置。
【請求項５】
前記希望ノード群は、特定の組織に求められる能力の総和に相当し、
前記対象人材は、前記組織に属する既存人材の夫々であり、
前記所持ノード群は、前記組織に属する全ての既存人材の所持ノードの総和に相当し、
前記不足能力情報は、前記組織に不足している能力の情報であることを特徴とする請求項１、３および４の何れか１項に記載の不足能力抽出装置。
【請求項６】
前記対象人材は、実績評価の対象とされている人材であり、
前記希望ノード群は、当該対象人材に適用すべき評価基準に含まれる個々の要素の総和に相当し、
前記所持ノード群は、当該対象人材が所持している個々の要素の総和に相当し、
前記不足能力情報は、前記評価基準に照らして当該対象人材に不足している能力の情報であることを特徴とする請求項１、３および４の何れか１項に記載の不足能力抽出装置。
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
物品概念の上位下位の関係、物品の全体と部品の関係、および抽象概念の上位下位の関係のうち少なくとも一種の関係で階層化された複数の辞書ノードを含むツリー構造を有し、個々の辞書ノードにマッチング要素が割り当てられているマッチング辞書を記憶するメモリ機構と、
登録する辞書ノードの入力を受け付ける入力インターフェースと、
前記マッチング辞書と登録された辞書ノードに基づいて不足能力情報を抽出する処理装置と、を備え、
前記処理装置は、
前記マッチング辞書中の、人材に求められる辞書ノードを、希望ノードとして登録する処理と、
前記希望ノードを前記ツリー構造に当て嵌めて、登録された希望ノードを網羅するテクニカルツリーを生成する処理と、
前記マッチング辞書中の、対象人材が所持する辞書ノードを、所持ノードとして登録する処理と、
前記所持ノードを前記ツリー構造に当て嵌めて、登録された所持ノードを網羅するスキルツリーを生成する処理と、
前記テクニカルツリーに含まれている希望ノード群から前記スキルツリーに含まれている所持ノード群を減じた結果に基づいて前記不足能力情報を生成する処理と、を実行し、
前記入力インターフェースは、前記希望ノードの重要度の入力を受け付ける機能を有し、
前記不足能力情報を抽出する処理は、
前記希望ノードについて、前記重要度が高いほど大きな値となるように配点を算出する処理と、
前記希望ノードについて、前記所持ノードとの前記ツリー構造における距離が短いほど大きな値となるように係数を設定する処理と、
前記希望ノードについて、前記配点と、前記係数とに基づいて充足スコアを算出する処理と、
前記希望ノードについて、前記配点から前記充足スコアを減ずることにより不足スコアを算出する処理と、
前記不足スコアと当該不足スコアに対応する希望ノードとの組み合わせを含む情報を、前記不足能力情報として生成する処理と、
を含むことを特徴とする不足能力抽出装置。
【請求項２】
前記マッチング辞書は、一のマッチング要素を取り扱うために使用される他のマッチング要素と当該一のマッチング要素とを結び付ける横の関係、一のマッチング要素を取り扱うために要求される他のマッチング要素と当該一のマッチング要素とを結び付ける横の関係、および一のマッチング要素と類似する他のマッチング要素と当該一のマッチング要素とを結び付ける横の関係のうち少なくとも一種の横の関係を示す情報を更に含んでおり、
前記係数を設定する処理は、前記希望ノードと前記所持ノードとの間に前記横の関係が成立する場合に、当該希望ノードについて、前記横の関係に対応する係数を設定する処理を含むことを特徴とする請求項１に記載の不足能力抽出装置。
【請求項３】
前記入力インターフェースは、前記所持ノードの習熟度の入力を受け付ける機能を有し、
前記充足スコアを算出する処理は、前記配点と、前記係数と、当該係数に関わる所持ノードの習熟度とに基づいて、前記充足スコアを算出することを特徴とする請求項１または２に記載の不足能力抽出装置。
【請求項４】
前記希望ノード群は、特定の組織に求められる能力の総和に相当し、
前記対象人材は、前記組織に属する既存人材の夫々であり、
前記所持ノード群は、前記組織に属する全ての既存人材の所持ノードの総和に相当し、
前記不足能力情報は、前記組織に不足している能力の情報であることを特徴とする請求項１乃至３の何れか１項に記載の不足能力抽出装置。
【請求項５】
前記対象人材は、実績評価の対象とされている人材であり、
前記希望ノード群は、当該対象人材に適用すべき評価基準に含まれる個々の要素の総和に相当し、
前記所持ノード群は、当該対象人材が所持している個々の要素の総和に相当し、
前記不足能力情報は、前記評価基準に照らして当該対象人材に不足している能力の情報であることを特徴とする請求項１乃至３の何れか１項に記載の不足能力抽出装置。
【国際調査報告】
2020003354.tif 000017
2020003354.tif 000018
2020003354.tif 000019
2020003354.tif 000020